(57)【要約】光信号処理装置１は、ファイバコリメータ１１０〜１１３、第１の回折格子素子１２１、第２の回折格子素子１２２、第１の１／２波長板１３１および第２の１／２波長板１３２を備えている。回折格子素子１２１，１２２それぞれは、反射型のものであって、その回折面がｙｚ平面に平行であり、格子方向がｚ軸に平行である。回折格子素子１２１は、ファイバコリメータ１１０よりコリメートされて出力された光を回折する。回折格子素子１２２は、回折格子素子１２１により回折された光を再び回折する。１／２波長板１３１，１３２それぞれは、光学軸の方位が互いに４５度異なり、互いに張り合わされていて、回折格子素子１２１と回折格子素子１２２との間の光路上に設けられている。
2003073052.tif 000002
【特許請求の範囲】
【請求項１】
入力した光を回折する第１の回折格子素子と、
前記第１の回折格子素子と同一の格子方向を有し、前記第１の回折格子素子により回折された光を回折する第２の回折格子素子と、
前記第１の回折格子素子と前記第２の回折格子素子との間の光路上に設けられ光学軸の方位が互いに４５度異なる第１の１／２波長板および第２の１／２波長板と、
を備えることを特徴とする光信号処理装置。
【請求項２】
前記第１の回折格子素子と前記第２の回折格子素子とが互いに平行に配されていることを特徴とする請求項１記載の光信号処理装置。
【請求項３】
前記第１の１／２波長板および前記第２の１／２波長板が使用波長帯域の中心波長の光の光軸と直交するように配置されていることを特徴とする請求項１記載の光信号処理装置。
【請求項４】
前記第１の回折格子素子と前記第２の回折格子素子との間の光路上にミラーが配され、
前記第１の１／２波長板および前記第２の１／２波長板が、前記第１の回折格子素子と前記ミラーとの間の光路上、または、前記第２の回折格子素子と前記ミラーとの間の光路上に設けられている、
ことを特徴とする請求項１記載の光信号処理装置。
【請求項５】
前記ミラーが前記第１の回折格子素子または前記第２の回折格子素子と平行に配されていることを特徴とする請求項４記載の光信号処理装置。
【請求項６】
前記第１の回折格子素子と前記第２の回折格子素子とが一体であることを特徴とする請求項４記載の光信号処理装置。
【発明の詳細な説明】
技術分野
本発明は、回折格子素子を含む光信号処理装置に関するものである。
背景技術
回折格子素子を含む光信号処理装置として、例えば特開２００１−４４４７号公報に開示されているものが知られている。この公報に開示されている光信号処理装置は、回折格子素子により光の回折を２度行わせることで、優れた波長分解能で光を分波することを意図したものである。また、この光信号処理装置は、分波時とは逆の方向に光を伝搬させることで、入力した或る波長域の光を合波して出力することもできる。
ところで、環境の変動等に伴う光伝送路の特性の変動に因り光の偏波状態も変動することから、光信号処理装置に入力して処理されるべき光の偏波状態は一定であるとは限らない。それ故、光信号処理装置における光の処理は、入力光の偏波状態への依存性が小さいことが望まれる。しかし、回折格子素子における光の回折の効率は入射光の偏光方位により異なることが知られている。
上記公報に開示された光信号処理装置では、このような問題点を解消すべく、回折格子素子による第１回目の回折と第２回目の回折との間の光路上に１／２波長板が設けられている。１／２波長板は、入射光の光軸に垂直な面に平行な方位の光学軸を有しており、その光学軸に対して偏光方位が角度θだけ傾いた直線偏光の光が入射すると、その光の偏光方位を角度２θだけ回転させて、光学軸に対して偏光方位が角度（−θ）だけ傾いた直線偏光の光として出射する。角度θが４５度であれば、１／２波長板は、入射した直線偏光の光を、これに直交する方位の直線偏光の光として出力することができる。上記公報に開示された光信号処理装置は、このような１／２波長板の作用を利用して、回折格子素子による第１回目の回折と第２回目の回折との間で光の偏光方位を９０度だけ回転させることで、偏波依存性の低減を図っている。
発明の開示
発明者は、上記した従来の技術を検討した結果、以下のような課題を発見した。すなわち、上記公報に開示された光信号処理装置では、偏波依存性を充分に低減するには、１／２波長板の光学軸の方位を厳密に設定する必要がある。１／２波長板の光学軸の方位の調整は、光信号処理装置の入出力特性をモニタしながら行われる。一方で、光信号処理装置は、できる限り小型のものとされることが要求される。したがって、光信号処理装置内の狭い空間に配置される１／２波長板の光学軸の方位を精度よく調整することは困難である。それ故、偏波依存性が低減された小型の光信号処理装置の実現は困難である。
本発明は、上記問題点を解消する為になされたものであり、小型であっても偏波依存性が容易に低減され得る光信号処理装置を提供することを目的とする。
本発明に係る光信号処理装置は、（１）入力した光を回折する第１の回折格子素子と、（２）第１の回折格子素子と同一の格子方向を有し、第１の回折格子素子により回折された光を回折する第２の回折格子素子と、（３）第１の回折格子素子と第２の回折格子素子との間の光路上に設けられ光学軸の方位が互いに４５度異なる第１の１／２波長板および第２の１／２波長板と、を備えることを特徴とする。
この光信号処理装置に入力した光は、第１の回折格子素子により回折された後に、第１の１／２波長板および第２の１／２波長板により偏光方位が回転されて、第２の回折格子素子により再び回折される。第１の回折格子素子と第２の回折格子素子とは互いに同一の格子方向を有している。また、第１の１／２波長板および第２の１／２波長板は、各々の光学軸方位が互いに４５度異なっており、個々の光学軸方位によらず、入射光の偏光方位を９０度だけ回転させて出射することができる。
このとき、第１の回折格子素子と第２の回折格子素子とが互いに平行に配されているのが好適である。このようにすれば、第２の回折格子素子により回折された各信号光の光軸は平行になり、ファイバへの結合など、その後の信号処理が容易になる。
また、第１の１／２波長板および第２の１／２波長板が使用波長帯域の中心波長の光の光軸と直交するように配置されているのが好適である。このようにすれば、偏波依存性の低減が使用波長帯域で最適化される。
また、第１の回折格子素子と第２の回折格子素子との間の光路上にミラーが配され、第１の１／２波長板および第２の１／２波長板が、第１の回折格子素子とミラーとの間の光路上、または、第２の回折格子素子とミラーとの間の光路上に設けられているのが好適である。このようにすれば、光信号処理装置に入力した光は、第１の回折格子素子により回折された後に、第１の１／２波長板および第２の１／２波長板により偏光方位が回転されて、ミラーにより反射され、第２の回折格子素子により再び回折される。或いは、光信号処理装置に入力した光は、第１の回折格子素子により回折された後に、ミラーにより反射され、第１の１／２波長板および第２の１／２波長板により偏光方位が回転されて、第２の回折格子素子により再び回折される。
このとき、ミラーが第１の回折格子素子または第２の回折格子素子と平行に配されているのが好適である。このようにすれば、第２の回折格子素子により回折された各信号光の光軸は平行になり、ファイバへの結合など、その後の信号処理が容易になる。
また、第１の回折格子素子と第２の回折格子素子とが一体であるのが好適である。このようにすれば、組立時の調整が容易になる。
本発明は以下の詳細な説明および添付図面によりさらに十分に理解可能となる。これらは単に例示のために示されるものであって、本発明を限定するものと考えるべきではない。
発明を実施するための最良の形態
以下、添付図面を参照して本発明の実施の形態を詳細に説明する。なお、図面の説明において同一の要素には同一の符号を付し、重複する説明を省略する。
初めに、本発明の原理について説明する。ｘｙｚ直交座標系を想定し、波長板がｘｙ平面に平行に配置されるものとし、ｚ軸に平行に光が進むものとする。また、波長板の光学軸の方位は、ｘｙ平面に平行な面上にあって、ｙ軸に対して角度θをなしているものとする。ｚ軸方向に進んできて波長板に入射する光のｘ軸方位の偏光成分をＥ０ｘとし、ｙ軸方位の偏光成分をＥ０ｙとする。波長板から出射する光のｘ軸方位の偏光成分をＥ１ｘとし、ｙ軸方位の偏光成分をＥ１ｙとする。
このとき、入射光（Ｅ０ｘ，Ｅ０ｙ）と出射光（Ｅ１ｘ，Ｅ１ｙ）との間には、
2003073052.tif 000003
なる関係式が成り立つ。ここで、行列Ｊ（θ，φ）は、波長板における光の入出力特性を表すジョーンズ行列であって、
2003073052.tif 000004
なる式で表される。ｊは虚数単位である。φは、ｘ軸方位およびｙ軸方位それぞれの偏光成分の光が波長板を透過する際に生じる位相差である。１／２波長板の場合には、φ＝Πである。
従来の技術の欄で挙げた公報に開示された光信号処理装置では、θ＝Π／４かつφ＝Πである１／２波長板が用いられていた。この１／２波長板のジョーンズ行列Ｊ（Π／４，Π）は、
2003073052.tif 000005
なる式で表される。この式は、この１／２波長板が入射光の偏光方位を９０度だけ回転させて出射光とすることができることを意味している。
一般に、１／２波長板のジョーンズ行列は、上記（２）式においてφ＝Πとして、
2003073052.tif 000006
なる式で表される。この式から判るように、１／２波長板のジョーンズ行列は角度θに依存している。それ故に、従来の技術の欄で挙げた公報に開示された光信号処理装置では、偏波依存性を充分に低減するには、１／２波長板の光学軸の方位を厳密に設定する必要がある。
そこで、本発明では、２つの１／２波長板が組み合わされて用いられる。第１の１／２波長板の光学軸の方位はｙ軸に対して角度θをなしているものとする。第２の１／２波長板の光学軸の方位はｙ軸に対して角度（θ＋Π／４）をなしているものとする。第１の１／２波長板のジョーンズ行列は上記（４）式で表され、第２の１／２波長板のジョーンズ行列は
2003073052.tif 000007
なる式で表される。
第１の１／２波長板および第２の１／２波長板の全体のジョーンズ行列は、上記（４）式と上記（５）式との積で表され、
2003073052.tif 000008
なる式で表される。この式から判るように、第１の１／２波長板と第２の１／２波長板とを組み合わせたものは、入射光の偏光方位を９０度だけ回転させて出射光とすることができ、これはθ値に依存しない。すなわち、第１の１／２波長板および第２の１／２波長板を組み合わせて各々の光学軸の方位を互いに４５度だけ異なるものとするだけで、これら２つの１／２波長板が組み合わされたものは、入射光の偏光方位を９０度だけ回転させて出射光とすることができる。
本発明に係る光信号処理装置は、上記のような原理に基づくものであり、２つの１／２波長板を組み合せて用いたものである。
（第１実施形態）
次に、本発明に係る光信号処理装置の第１実施形態について説明する。図１は、第１実施形態に係る光信号処理装置１の構成図である。この図に示される光信号処理装置１は、ファイバコリメータ１１０〜１１３、第１の回折格子素子１２１、第２の回折格子素子１２２、第１の１／２波長板１３１および第２の１／２波長板１３２を備えている。この図には、説明の便宜の為にｘｙｚ直交座標系も示されている。この光信号処理装置１では、光はｘｙ平面に平行に進むものとする。
ファイバコリメータ１１０〜１１３それぞれは、光ファイバの先端が球状に加工されたものであり、或いは、光ファイバの先端にレンズが接続されたものであって、コリメート機能を有する。ファイバコリメータ１１０〜１１３それぞれは、該光ファイバを伝搬してきて先端に達した光をコリメートして出力し、或いは、外部より先端に達した光を集光して該光ファイバに伝搬させることができる。
回折格子素子１２１は、反射型のものであって、その回折面がｙｚ平面に平行であり、格子方向がｚ軸に平行である。この回折格子素子１２１は、ファイバコリメータ１１０よりコリメートされて出力された光が入射すると、波長に応じた回折角で光を回折する。回折格子素子１２１における格子間隔をｄとし、光の入射角をβ１とし、波長λの光の回折角をβ２とすると、これらの角度の間には、
2003073052.tif 000009
なる関係式が成り立つ。ここで、ｍは回折次数である。
回折格子素子１２２は、反射型のものであって、その回折面がｙｚ平面に平行であり、格子方向がｚ軸に平行である。回折格子素子１２１および回折格子素子１２２それぞれの回折面は互いに対向している。また、回折格子素子１２２は、回折格子素子１２１と同じ格子間隔ｄを有している。この回折格子素子１２２は、回折格子素子１２１により回折された光を再び回折する。このとき、回折格子素子１２２への波長λの光の入射角はβ２となり、回折格子素子１２２における光の回折角は波長λによらずβ１となる。すなわち、回折格子素子１２２により回折された各波長の光は互いに平行に進む。
ファイバコリメータ１１１は、回折格子素子１２２により回折された波長λ１の光を集光して入射する。ファイバコリメータ１１２は、回折格子素子１２２により回折された波長λ２の光を集光して入射する。また、ファイバコリメータ１１３は、回折格子素子１２２により回折された波長λ３の光を集光して入射する。以上のように光が進むときには、この光信号処理装置１は、ファイバコリメータ１１０より出力された光を入力して分波し、分波した各波長の光をファイバコリメータ１１１〜１１３の何れかへ出力する光分波器として用いられる。一方、逆の方向に光が進むときには、この光信号処理装置１は、ファイバコリメータ１１１〜１１３より出力された各波長の光を入力して合波し、その合波した光をファイバコリメータ１１０へ出力する光合波器として用いられる。
２つの１／２波長板１３１および１／２波長板１３２それぞれは、光学軸の方位が互いに４５度異なり、互いに張り合わされていて、回折格子素子１２１と回折格子素子１２２との間の光路上に設けられている。これら２つの１／２波長板１３１および１／２波長板１３２を組み合わせたものは、全体のジョーンズ行列が上記（６）式で表され、入射光の偏光方位を９０度だけ回転させて出射光とすることができる。
したがって、２つの１／２波長板１３１，１３２それぞれの光学軸方位が互いに４５度異なるように設定されていれば、これを用いて小型の光信号処理装置１を容易に組み立てることができる。その組み立ての際には１／２波長板１３１，１３２の個々の光学軸の方位は任意でよいので、光信号処理装置１は小型であっても偏波依存性が容易に低減され得る。
また、回折格子素子１２１および回折格子素子１２２それぞれは、互いに平行に配されている。さらに、１／２波長板１３１および１／２波長板１３２それぞれは、この光信号処理装置１が処理すべき光の波長帯域（λ１〜λ３）の中心波長の光軸と直交するように配置される。このように配置されることにより、光信号処理装置１の偏波依存性はより充分に低減され得る。
図２は、第１実施形態に係る光信号処理装置１における１／２波長板１３１，１３２の光学軸調整方法の説明図である。同図（ａ）に示されるように、光源９１０、パワーメータ９２０、偏光子９３１および偏光子９３２が用意される。光源９１０から出力される光を光パワーメータ９２０が受光し得るように両者が配置され、光源９１０とパワーメータ９２０との間の光路上に偏光子９３１，９３２が配置される。そして、偏光子９３１，９３２のうち一方の偏光子が光軸周りに回転されて、パワーメータ９２０が受光する光のパワーが最大となるように調整される。これにより、偏光子９３１，９３２それぞれの光学軸方位が互いに平行になるように設定される。図中の各偏光子の矢印は、該偏光子の光学軸方位を表している。
続いて、同図（ｂ）に示されるように、偏光子９３１と偏光子９３２との間の光路上に１／２波長板１３１，１３２が配置される。そして、１／２波長板１３１，１３２のうち一方の１／２波長板が光軸周りに回転されて、パワーメータ９２０が受光する光のパワーが最小となるように調整される。これにより、１／２波長板１３１，１３２それぞれの光学軸方位が互いに４５度異なるように設定される。
このようにして各々の光学軸方位が設定された１／２波長板１３１，１３２が互いに張り合わされて、その貼り合わされたものが光信号処理装置１の組み立てに用いられるので、偏波依存性が低減された小型の光信号処理装置１が容易に組み立てられ得る。また、図２（ａ）に示されるような光学系が予め用意されていれば、光信号処理装置１の組み立てとは別の工程で１／２波長板１３１，１３２の光学軸調整が行われ得るので量産性に優れる。
次に、第１実施形態に係る光信号処理装置１の具体的な実施例について説明する。本実施例では、回折格子素子１２１，１２２それぞれの格子間隔ｄは１．７μｍであり、処理されるべき光の波長は１５３０ｎｍ，１５５０ｎｍおよび１５７０ｎｍである。ファイバコリメータ１１０から回折格子素子１２１への光の入射角β１は１５度であり、第１の回折格子素子１２１における中心波長１５５０ｎｍの光の回折角β２は４０．８度である。１／２波長板１３１，１３２それぞれは、第１の回折格子素子１２１から第２の回折格子素子１２２へ至る中心波長１５５０ｎｍの光の光軸と直交するように配置されている。この実施例の光信号処理装置の諸特性が図３〜図５に示されている。
図３は、実施例の光信号処理装置の分波特性を示す図である。この図には、ファイバコリメータ１１０からファイバコリメータ１１１への光の透過特性、ファイバコリメータ１１０からファイバコリメータ１１２への光の透過特性、および、ファイバコリメータ１１０からファイバコリメータ１１３への光の透過特性、それぞれが示されている。この図に示されるように、ファイバコリメータ１１０より回折格子素子１２１へ向けて出射された光は、回折格子素子１２１，１２２により波長に応じた回折角で回折されて分波されている。そして、波長１５３０ｎｍの光はファイバコリメータ１１１へ入射し、波長１５５０ｎｍの光はファイバコリメータ１１２へ入射し、波長１５７０ｎｍの光はファイバコリメータ１１３へ入射している。
図４は、実施例（Ｌ１で示す）の光信号処理装置の偏波依存損失（ＰＤＬ）特性を示す図である。この図には、１／２波長板１３１，１３２が設けられていない比較例（Ｌ２で示す）の場合の偏波依存損失特性も示されている。実施例および比較例それぞれの場合で、ファイバコリメータ１１０からファイバコリメータ１１２へ至る光の偏波依存損失が示されている。この図から判るように、実施例の光信号処理装置は、各々の光学軸方位が互いに４５度だけ異なっている２つの１／２波長板１３１，１３２が設けられていることにより、比較例に対して偏波依存損失が０．８ｄＢ程度改善されている。
図５は、実施例（Ｌ１で示す）の光信号処理装置の偏波依存損失と１／２波長板の光学軸方位との間の関係を示す図である。この図には、回折格子素子１２１と回折格子素子１２２との間に１枚の１／２波長板のみが設けられた比較例（Ｌ２で示す）の場合も示されている。実施例および比較例それぞれの場合で、光軸周りに１／２波長板を回転させたときの回転角度に対して、ファイバコリメータ１１０からファイバコリメータ１１２へ至る波長１５５０ｎｍの光の偏波依存損失が示されている。この図から判るように、光軸周りに１／２波長板を回転させたときの偏波依存損失の変動幅は、比較例では０．８ｄＢ程度であるのに対して、実施例では非常に小さい。このことから、本実施形態では、各々の光学軸方位が互いに４５度異なるように設定された１／２波長板１３１，１３２が用いられることで、小型で偏波依存損失が低減された光信号処理装置１が容易に組み立てられ得る。
（第２実施形態）
次に、本発明に係る光信号処理装置の第２実施形態について説明する。図６は、第２実施形態に係る光信号処理装置２の構成図である。この図に示される光信号処理装置２は、ファイバコリメータ２１０〜２１３、回折格子素子２２０、第１の１／２波長板２３１、第２の１／２波長板２３２およびミラー２４０を備えている。この図には、説明の便宜の為にｘｙｚ直交座標系も示されている。この光信号処理装置２では、光はｘｙ平面に平行に進むものとする。
ファイバコリメータ２１０〜２１３それぞれは、光ファイバの先端が球状に加工されてコリメータ機能を有するようにされたものであり、該光ファイバを伝搬してきて先端に達した光を外部へコリメートして出力し、或いは、外部より先端に達した光を集光しで該光ファイバに伝搬させることができる。
回折格子素子２２０は、反射型のものであって、その回折面がｙｚ平面に平行であり、格子方向がｚ軸に平行である。この回折格子素子２２０は、ファイバコリメータ２１０よりコリメートされて出力された光が入射すると、波長に応じた回折角で光を回折する。また、回折格子素子２２０は、ミラー２４０により反射された光が入射すると、その光を回折する。すなわち、回折格子素子２２０は、第１の回折格子素子と第２の回折格子素子とが一体化されたものである。
ミラー２４０の反射面は、回折格子素子２２０の回折面と対向しており、回折格子素子２２０の回折面と平行である。このミラー２４０は、回折格子素子２２０により回折された光を入射して反射させ、その反射した光を再び回折格子素子２２へ入射させる。
回折格子素子２２０における格子間隔をｄとし、ファイバコリメータ２１０から回折格子素子２２０への光の入射角をβ１とし、このときの波長λの光の回折角をβ２とすると、これらの角度の間には、上記（７）式が成り立つ。また、ミラー２４０から回折格子素子２２０への光の入射角はβ２となり、このときの光の回折角は波長λによらずβ１となる。すなわち、回折格子素子２２０により２回目の回折を受けた各波長の光は互いに平行に進む。
ファイバコリメータ２１１は、回折格子素子２２０により２回目の回折を受けた波長λ１の光を集光して入射する。ファイバコリメータ２１２は、回折格子素子２２０により２回目の回折を受けた波長λ２の光を集光して入射する。また、ファイバコリメータ２１３は、回折格子素子２２０により２回目の回折を受けた波長λ３の光を集光して入射する。以上のように光が進むときには、この光信号処理装置２は、ファイバコリメータ２１０より出力された光を入力して分波し、分波した各波長の光をファイバコリメータ２１１〜２１３の何れかへ出力する光分波器として用いられる。一方、逆の方向に光が進むときには、この光信号処理装置２は、ファイバコリメータ２１１〜２１３より出力された各波長の光を入力して合波し、その合波した光をファイバコリメータ２１０へ出力する光合波器として用いられる。
２つの１／２波長板２３１および１／２波長板２３２それぞれは、光学軸の方位が互いに４５度異なり、互いに張り合わされていて、回折格子素子２２０とミラー２４０との間の光路上に設けられている。これら２つの１／２波長板２３１および１／２波長板２３２を組み合わせたものは、全体のジョーンズ行列が上記（６）式で表され、入射光の偏光方位を９０度だけ回転させて出射光とすることができる。なお、１／２波長板２３１，２３２は、回折格子素子２２０における第１回目の回折からミラー２４０における反射までの光路上に設けられてもよいし、ミラー２４０における反射から回折格子素子２２０における第２回目の回折までの光路上に設けられてもよい。
したがって、２つの１／２波長板２３１，２３２それぞれの光学軸方位が互いに４５度異なるように設定されていれば、これを用いて小型の光信号処理装置２を容易に組み立てることができる。その組み立ての際には１／２波長板２３１，２３２の個々の光学軸の方位は任意でよいので、光信号処理装置２は小型であっても偏波依存性が容易に低減され得る。
また、１／２波長板２３１および１／２波長板２３２それぞれは、互いに平行に配されている。さらに、１／２波長板２３１および１／２波長板２３２それぞれは、この光信号処理装置２が処理すべき光の波長帯域（λ１〜λ３）の中心波長の光軸と直交するように配置される。このように配置されることにより、光信号処理装置２の偏波依存性はより充分に低減され得る。
なお、本発明は上記実施形態に限定されるものではなく、種々の変形が可能である。例えば、上記の各実施形態に係る光信号処理装置は、反射型の回折格子素子を備えるものであったが、透過型の回折格子素子を備えるものであってもよい。
また、第１実施形態では回折格子素子１２１，１２２それぞれの回折面は互いに平行であったが、各々の回折面は互いに平行でなくてもよい。第２実施形態では回折格子素子２２０の回折面とミラー２４０の反射面とは互いに平行であったが、回折面と反射面とは互いに平行でなくてもよい。平行でない場合には、波長間隔を広げることが可能である。
産業上の利用可能性
本発明によれば、２つの１／２波長板を用いて小型の光信号処理装置を容易に組み立てることができる。その組み立ての際には２つの１／２波長板の個々の光学軸の方位は任意でよいので、光信号処理装置は小型であっても偏波依存性が容易に低減され得る。
【図面の簡単な説明】
図１は、第１実施形態に係る光信号処理装置の構成図である。
図２は、第１実施形態に係る光信号処理装置における１／２波長板の光学軸調整方法の説明図である。
図３は、実施例の光信号処理装置の分波特性を示す図である。
図４は、実施例の光信号処理装置の偏波依存損失特性を示す図である。
図５は、実施例の光信号処理装置の偏波依存損失と１／２波長板の光学軸方位との間の関係を示す図である。
図６は、第２実施形態に係る光信号処理装置の構成図である。
【図１】
2003073052.tif 000010
【図２Ａ】
2003073052.tif 000011
【図２Ｂ】
2003073052.tif 000012
【図３】
2003073052.tif 000013
【図４】
2003073052.tif 000014
【図５】
2003073052.tif 000015
【図６】
2003073052.tif 000016
【国際調査報告】
2003073052.tif 000017
2003073052.tif 000018
2003073052.tif 000019
2003073052.tif 000020